(57)【要約】  少なくとも９のｐＨを有する洗浄剤組成物であって、前記組成物が、（ｉ）２０〜８５重量％のアニオン性界面活性剤；および、（ｉｉ）０．０１〜１００ｐｐｍの銀含有量と同等の濃度の、少なくとも１×１０−４ｍｏｌ／Ｌ（２５℃の水中）の銀イオン溶解度を有する銀（Ｉ）化合物を有し；前記組成物の遊離アルカリ含有量が０．０１％未満である組成物が開示される。本組成物は、色の安定した、頑丈で改良された洗浄剤組成物である。【特許請求の範囲】
【請求項１】
少なくとも９のｐＨを有する洗浄剤組成物であって、前記組成物が、
（ｉ）２０〜８５重量％のアニオン性界面活性剤と；
（ｉｉ）０．０１〜１００ｐｐｍの銀含有量と同等の濃度の、少なくとも１×１０−４ｍｏｌ／Ｌ（２５℃の水中）の銀イオン溶解度を有する銀（Ｉ）化合物とを有し；前記組成物の遊離アルカリ含有量が０．０１％未満である、組成物。
【請求項２】
０．０１重量％〜１０重量％の遊離脂肪酸を含む、請求項１に記載の洗浄剤組成物。
【請求項３】
前記銀（Ｉ）化合物を１〜５０ｐｐｍの銀含有量と同等の濃度で含む、請求項１または２に記載の洗浄剤組成物。
【請求項４】
前記銀化合物が、酸化銀、硝酸銀、酢酸銀、硫酸銀、安息香酸銀、サリチル酸銀、炭酸銀、クエン酸銀またはリン酸銀から選択される、請求項１〜３のいずれか一項に記載の洗浄剤組成物。
【請求項５】
前記銀化合物が、酸化銀、硫酸銀またはクエン酸銀である、請求項４に記載の洗浄剤組成物。
【請求項６】
前記アニオン性界面活性剤が、Ｃ８−Ｃ２２脂肪酸の石鹸である、請求項１〜５のいずれか一項に記載の洗浄剤組成物。
【請求項７】
タルク、グリセリンまたはトリエチルアミンから選択される、銀（Ｉ）化合物の担体を含む、請求項１〜６のいずれか一項に記載の組成物。
【発明の詳細な説明】
【技術分野】
【０００１】
本発明は、アルカリ性洗浄剤組成物、特に銀系抗菌剤を含有する石鹸組成物の変色を低減するための方法に関する。そのような石鹸組成物は、特に銀の固有の不安定性のために変色の傾向がある。
【背景技術】
【０００２】
抗菌剤入り洗浄剤組成物に対する需要は増加している。抗菌剤入り石鹸バーは非常に普及しつつあり、使いやすくよく知られた形態である点からみて、そのようなバーは高い市場可能性を有する。
【０００３】
銀系抗菌剤は一部のグラム陰性細菌に対して素早く作用する。しかし、そのような銀化合物は、一般に、一定期間にわたって不安定化および暗色化する傾向がある。この現象から判断して、組成物自体、特に石鹸バーも暗色化または変色する傾向がある。このことは、製造後および一般に貯蔵時に現れる技術的問題を提示する。
【０００４】
米国特許出願公開第２０１２／００３４３１４号（Ｌｅｖｉｓｏｎ  ｅｔ  ａｌ．）は、持続性の抗菌効果をもたらす抗菌剤組成物を開示する。開示される組成物には、キレート化金属イオン（キレート化銀イオンを含む）およびキレート化金属イオンを皮膚に結びつける能力を有する定着性ポリマーが含まれる。
【０００５】
国際公開第２０１１／１３１４２２号（Ｉｎｓｔｉｔｕｔｅ  Ｏｆ  Ａｐｐｌｉｅｄ  Ｎａｎｏｔｅｃｈｎｏｌｏｇｙ）は、Ａｇ＋および／またはＣｕ２＋イオンがインターカレートしたベントナイト粉末を含む抗菌剤入り化粧石鹸を開示する。
【０００６】
米国特許第３０５０４６７号（Ｈｏｒｏｗｉｔｚ  ｅｔ  ａｌ．）は、脂肪酸石鹸と部分低分子化アルギン酸の銀塩の混合物を含む防腐剤入り洗浄剤（例えば、石鹸および洗剤）を開示する。
【０００７】
米国特許出願公開第２０１１２２４１２０号（Ｈｅｎｋｅｌ）は、銀元素および／または銀カチオンを安定化させるために非中和脂肪酸を含むｐＨ５〜８．５の液体洗浄組成物を開示する。この公報は、特に、０．１〜３％の水酸化アンモニウム（アルカリ）の添加を開示し、特に組成物を透明で美的に心地よくするためのその使用に関する。
【先行技術文献】
【特許文献】
【０００８】
【特許文献１】米国特許出願公開第２０１２／００３４３１４号明細書
【特許文献２】国際公開第２０１１／１３１４２２号パンフレット
【特許文献３】米国特許第３０５０４６７号明細書
【特許文献４】米国特許出願公開第２０１１２２４１２０号明細書
【発明の概要】
【発明が解決しようとする課題】
【０００９】
本発明は、銀系抗菌剤を含有する、より頑丈な洗浄剤組成物に対する必要性に対処する。
【課題を解決するための手段】
【００１０】
本発明者らは、驚くことに、銀を含有するアルカリ性洗浄剤組成物の変色（ｄｉｓｏｌｏｕｒａｔｉｏｎ）が、遊離アルカリ含有量を０．０１％未満に保つことによって大幅に低減され得ることを見出した。
【００１１】
少なくとも９のｐＨを有する洗浄剤組成物が開示され、該組成物は、
（ｉ）２０〜８５重量％のアニオン性界面活性剤；および、
（ｉｉ）０．０１〜１００ｐｐｍの銀含有量と同等の濃度の、少なくとも１×１０−４ｍｏｌ／Ｌ（２５℃の水中）の銀イオン溶解度を有する銀（Ｉ）化合物；を有し、
該組成物の遊離アルカリ含有量は０．０１％未満である。
【発明を実施するための形態】
【００１２】
銀系抗菌剤は、非常に良好な抗菌効果を有する。しかし、銀は、多くの場合、アルカリ性環境で変色する傾向がある。それは、特に石鹸バーの場合に、製品自体の変色を導く場合が多い。望ましいものではないが、この影響は、色の薄いバーの場合に一層顕著であり、白色の石鹸バーの場合に一層顕著である。変色は、一定期間にわたって温度の上昇とともに強くなる傾向があり、しばしば、その変化は不可逆性であることが見出される。
【００１３】
変色は、銀イオンの熱および光に対する感受性によって引き起こされると考えられる。広い範囲の銀塩は、熱的にかつ光化学的に不安定であり、変色して褐色、灰色または黒色の粒子を形成することが知られている。銀イオンは還元されて金属状態になり、褐色、灰色または黒色の粒子およびフィラメントなどの様々な物理的形態および形状をとる傾向がある。還元形態で、銀の粒子は光の散乱に起因してピンク色、オレンジ色、黄色またはベージュ色に見える時もある。また、銀化合物は酸化されて、灰色がかった黒色の物質である、過酸化銀になり得る。
【００１４】
前に記載したように、変色は無視するにはあまりにも顕著であり、銀塩の溶解度の上昇を考えるとアルカリ度によって加速されると思われる。本発明者らは今回、遊離アルカリ含有量を減らすことにより、組成物のｐＨが非常に高い場合でさえも変色を効果的に低減させ得ることを見出した。
【００１５】
アニオン性界面活性剤
洗浄剤組成物は、非石鹸性合成界面活性剤であってもよいし、石鹸系界面活性剤であってもよい、１またはそれ以上のアニオン性界面活性剤の基剤を含有する。非イオン性界面活性剤、両性または双性イオン性界面活性剤およびカチオン性界面活性剤などのその他の界面活性剤も存在してよい。
【００１６】
洗浄剤組成物中のアニオン性界面活性剤の含有量は、２０〜８５重量％である。組成物の好ましい実施形態は３０〜７５重量％、より好ましい実施形態は３０〜７０重量％のアニオン性界面活性剤を有する。
【００１７】
アニオン性界面活性剤は、好ましくは脂肪族スルホン酸塩、例えば第一級アルカン（例えば、Ｃ８−Ｃ２２）スルホネート、第一級アルカン（例えば、Ｃ８−Ｃ２２）ジスルホネート、Ｃ８−Ｃ２２アルケンスルホネート、Ｃ８−Ｃ２２ヒドロキシアルカンスルホネートまたはアルキルグリセリルエーテルスルホネート（ＡＧＳ）；あるいはアルキルベンゼンスルホネートなどの芳香族スルホネートである。αオレフィンスルホネートは、別の適したクラスのアニオン性界面活性剤を形成する。
【００１８】
また、アニオン性は、アルキルサルフェート（例えば、Ｃ１２−Ｃ１８アルキルサルフェート）、特に第一級アルコールサルフェートまたはアルキルエーテルサルフェート（アルキルグリセリルエーテルサルフェートを含む）であってもよい。
【００１９】
また、アニオン性界面活性剤は、αスルホン化獣脂脂肪酸などのスルホン化脂肪酸、αスルホン化牛脂脂肪酸メチルなどのスルホン化脂肪酸エステルまたはそれらの混合物であり得る。
【００２０】
また、アニオン性界面活性剤は、スルホコハク酸アルキル（モノ−およびジアルキル、例えば、Ｃ６−Ｃ２２スルホコハク酸塩を含む）；アルキルおよびアシルタウリン塩、アルキルおよびアシルサルコシン酸塩、スルホ酢酸塩、Ｃ８−Ｃ２２リン酸アルキルおよびリン酸塩、リン酸アルキルエステルおよびリン酸アルコキシルアルキルエステル、乳酸アシルまたはラクチル酸アシル、Ｃ８−Ｃ２、コハク酸モノアルキルおよびマレイン酸モノアルキル、スルホ酢酸塩、ならびにイセチオン酸アシルであってよい。
【００２１】
別のクラスの有用なアニオン性界面活性剤は、Ｃ８−Ｃ２０アルキルエトキシ（１〜２０個のＥＯ）カルボン酸塩である。
【００２２】
さらに別の適したクラスのアニオン性界面活性剤は、Ｃ８−Ｃ１８イセチオン酸アシルである。これらのエステルは、アルカリ金属イセチオン酸塩を、６〜１８個の炭素原子および２０未満のヨウ素価を有する混合脂肪族脂肪酸と反応させることによって調製される。混合脂肪酸の少なくとも７５％は、１２〜１８個の炭素原子を有し、２５％までが６〜１０個の炭素原子を有する。イセチオン酸アシルは、アルコキシル化イセチオン酸塩であってもよい。
【００２３】
特に好ましい実施形態では、アニオン性界面活性剤は、Ｃ８−Ｃ２２脂肪酸の石鹸である。用語「脂肪酸石鹸」またはより簡単に「石鹸」は、本明細書においてその一般的意味で使用される、すなわち、好ましくは８〜２２個の炭素原子、より好ましくは８〜１８個の炭素原子を有する脂肪族アルカン−またはアルケンモノカルボン酸脂肪酸の塩である。脂肪酸石鹸への言及は、中和された形態の脂肪酸への言及である。好ましくは、石鹸が誘導される脂肪酸は、脂肪酸石鹸を形成する際に実質的に完全に中和されている、つまり、その脂肪酸基の少なくとも９５％、より特に、少なくとも９８％が中和されている。
【００２４】
通常、脂肪酸のブレンドを使用して脂肪酸石鹸のブレンドを得る。用語「石鹸」とは、ナトリウム、カリウム、マグネシウム、モノ−、ジ−およびトリ−エタノールアンモニウムカチオンまたはその組合せをさす。一般に、ナトリウム石鹸が本発明の組成物に好ましいが、石鹸分の１５％まで、またはさらにはそれ以上が、その他のいくつかの石鹸形態、例えばカリウム、マグネシウムまたはトリエタノールアミン石鹸などであってもよい。
【００２５】
脂肪酸ブレンドは、様々な脂肪酸、一般的に鎖長がＣ８からＣ２２までの脂肪酸部分を含有する脂肪酸であってよい複数の脂肪酸から作製される。脂肪酸ブレンドは、割合に純粋な量の１または複数の脂肪酸を含有してもよい。適した脂肪酸としては、限定されるものではないが、ブチリック（ｂｕｔｉｒｉｃ）、カプロン酸、カプリル酸、カプリン酸、ラウリン酸、ミリスチン酸、ミリステライジン酸、ペンタデカン酸、パルミチン酸、パルミトレイン酸、マルガリン酸、ヘプタデセン酸、ステアリン酸、オレイン酸、リノール酸、リノレン酸、アラキジン酸、ガドレイン酸、ベヘン酸およびリグノセリン酸ならびにそれらの異性体が挙げられる。
【００２６】
脂肪酸ブレンドには、好ましくは、比較的多量の（例えば、少なくとも３％、好ましくは少なくとも１０％）のカプリン酸およびラウリン酸が含まれる。さらに好ましくは、脂肪酸ブレンドには、一般に良好な起泡性をもたらす低レベルのミリスチン酸（例えば、好ましくは４重量％未満）が含まれる。
【００２７】
好ましい実施形態では、脂肪酸ブレンドのカプリン酸対ラウリン酸の割合は、０．５：１から１．５：１に及ぶ。
【００２８】
ヤシ油およびパーム核油の脂肪酸分布を有する石鹸は、広い分子量範囲の下限を与え得る。落花生または菜種油、またはそれらの水素化誘導体の脂肪酸分布を有する石鹸は、広い分子量範囲の上限を与え得る。
【００２９】
ヤシ油または獣脂あるいはそれらの混合物の脂肪酸分布を有する石鹸を使用することが好ましく、それはこれらがより簡単に利用できるトリグリセリド脂肪の中の１つであるためである。少なくとも１２個の炭素原子を有する脂肪酸のヤシ油石鹸中の割合は、約８５％である。この割合は、ヤシ油と脂肪、例えば獣脂、パーム油、または非熱帯堅果油の混合物または脂肪が使用される場合により大きくなり、この際、主鎖長はＣ１６以上である。本発明の組成物での使用に好ましい石鹸は、少なくとも約８５パーセントの、約１２〜１８個の炭素原子脂肪酸を有する。本発明での使用に好ましい石鹸には、脂肪酸石鹸の重量の少なくとも約３０パーセントの飽和石鹸（すなわち飽和脂肪酸から誘導された石鹸）、好ましくは少なくとも約４０パーセント、より好ましくは約５０パーセントの飽和石鹸が含まれるべきである。石鹸は、炭化水素鎖の鎖長、すなわち脂肪酸の鎖長が異なる３つの大きいカテゴリー、および脂肪酸が飽和であるかまたは不飽和であるかに分類することができる。本発明の目的において、これらの分類は次の通りである：  「ラウリン酸（Ｌａｕｒｉｃｓ）」石鹸、これは主にＣ１２−Ｃ１４飽和脂肪酸、すなわちラウリン酸およびミリスチン酸から誘導されるが、それよりも短い鎖の脂肪酸（例、Ｃ１０）から誘導される少量の石鹸を含み得る石鹸を包含する。ラウリン酸石鹸は、通常、実際にはヤシ油およびパーム核油などの堅果油の加水分解から誘導される。
【００３０】
「ステアリン酸（Ｓｔｅａｒｉｃｓ）」石鹸、これは、主にＣ１６−Ｃ１８飽和脂肪酸、すなわちパルミチン酸およびステアリン酸から誘導されるが、それよりも長い鎖の脂肪酸（例、Ｃ２０）から誘導される飽和石鹸を少ない濃度で含み得る石鹸を包含する。ステアリン酸石鹸は、通常、実際には獣脂、パーム油およびパームステアリンなどのトリグリセリド油から誘導される。
【００３１】
オレイン酸石鹸、これは、主にオレイン酸、リノール酸（ｌｉｎｏｅｌｅｉｃ  ａｃｉｄ）、ミリストレイン酸およびパルミトレイン酸ならびに少量のそれよりも長い鎖および短い鎖の不飽和およびポリ不飽和脂肪酸をはじめとする不飽和脂肪酸から誘導される石鹸を包含する。オレイン酸石鹸は、通常、実際には獣脂、パーム油、ヒマワリ種油およびダイズ油などの様々なトリグリセリド油脂の加水分解から誘導される。石鹸に用いられるヤシ油は、全部または一部をその他の「高ラウリン酸の」または「ラウリン酸に富む」油、つまり、全脂肪酸の少なくとも４５％がラウリン酸、ミリスチン酸およびそれらの混合物で構成される油脂で置換されてよい。これらの油は、通常、ヤシ油の種類の熱帯堅果油によって例示される。例えば、それらとしては、パーム核油、ババス油、オウリクリ油（ｏｕｒｉｃｕｒｉ  ｏｉｌ）、ホシダネヤシ油、コフネヤシ油、ムルムル油、ジャボティ核油（ｊａｂｏｔｙ  ｋｅｒｎｅｌ  ｏｉｌ）、カハン核油（ｋｈａｋａｎ  ｋｅｒｎｅｌ  ｏｉｌ）、ジカナッツ油（ｄｉｋａ  ｎｕｔ  ｏｉｌ）、およびウクフババター（ｕｃｕｈｕｂａ  ｂｕｔｔｅｒ）が挙げられる。
【００３２】
その他の界面活性剤
アニオン性界面活性剤に加えて、組成物には、１または複数のカチオン性、両性、非イオン性または双性イオン性界面活性剤も含まれてよい。
【００３３】
本発明で用いてよい両性界面活性剤には、少なくとも１つの酸基が含まれる。これは、カルボキン酸基またはスルホン酸基であってよい。それらには、第四級窒素が含まれ、そのために第四級アミド酸である。それらは、通常、７〜１８個の炭素原子のアルキルまたはアルケニル基を含むべきである。適した両性界面活性剤としては、アンホ酢酸塩、アルキルおよびアルキルアミドベタイン、ならびにアルキルおよびアルキルアミドスルホベタインが挙げられる。
【００３４】
アンホ酢酸塩およびジアンホ酢酸塩はまた、使用され得る、可能性のある双性イオン化合物および／または両性化合物に含まれることが意図される。
【００３５】
適した非イオン性界面活性剤としては、疎水基および反応性水素原子を有する化合物、例えば脂肪族アルコールまたは脂肪酸と、アルキレンオキシド、特にエチレンオキシド（単独でまたは酸化プロピレンを伴う）の反応生成物が挙げられる。例としては、脂肪族（Ｃ８−Ｃ１８）第一級または第二級線状または分枝状アルコールとエチレンオキシドの縮合生成物、およびプロピレンオキシドとエチレンジアミンの反応生成物によるエチレンオキシドの縮合によって作製された生成物が挙げられる。その他の非イオン性洗剤化合物としては、長鎖第三級アミン酸化物、長鎖第三級ホスフィン酸化物およびジアルキルスルホキシドが挙げられる。
【００３６】
非イオン性物質は、糖アミド、例えばアルキル多糖およびアルキル多糖アミドであってもよい。
【００３７】
カチオン性洗剤の例は、アルキルジメチルハロゲン化アンモニウムなどの第四級アンモニウム化合物である。
【００３８】
使用されてよいその他の界面活性剤は、Ｓｃｈｗａｒｔｚ、Ｐｅｒｒｙ＆Ｂｅｒｃｈによる「Ｓｕｒｆａｃｅ  Ａｃｔｉｖｅ  Ａｇｅｎｔｓ  ａｎｄ  Ｄｅｔｅｒｇｅｎｔｓ」（第Ｉ巻および第ＩＩ巻）に記載されている。
【００３９】
銀（Ｉ）化合物
洗浄剤組成物の成分として存在する銀化合物は、少なくとも１．０×１０−４ｍｏｌ／Ｌ（２５℃の水中）の銀イオン溶解度を有する１または複数の水溶性銀（Ｉ）化合物である。本明細書において言及される銀イオン溶解度は、多数の出典において報告される周知のパラメータである、２５℃の水中の溶解度積（Ｋｓｐ）から得られる値である。より詳細に、ｍｏｌ／Ｌで与えられる値である銀イオン溶解度［Ａｇ＋］は、次式を用いて計算することができる：
［Ａｇ＋］＝（Ｋｓｐ・ｘ）（１／（ｘ＋１））、
式中、Ｋｓｐは２５℃の水中の目的化合物の溶解度積であり、ｘは、化合物１モル当たりの銀イオンのモルの数を表す。少なくとも１×１０−４ｍｏｌ／Ｌの銀イオン溶解度を有する銀（Ｉ）化合物が本明細書での使用に適していることが見出された。多様な銀化合物の銀イオン溶解度値を表１に記載する：
【表１】
2017505839.tif 000002
【００４０】
好ましい銀（Ｉ）化合物は、酸化銀、硝酸銀、酢酸銀、硫酸銀、安息香酸銀、サリチル酸銀、炭酸銀、クエン酸銀およびリン酸銀から選択され、酸化銀、硫酸銀およびクエン酸銀が特に好ましい。さらに好ましい実施形態では、銀（Ｉ）化合物は酸化銀である。
【００４１】
銀（Ｉ）化合物は、組成物の総重量に基づく重量で０．０１〜１００ｐｐｍ、より特に、１〜５０ｐｐｍ、さらにより特に、５〜２０ｐｐｍの銀含有量と同等の濃度で組成物中に存在する。そのような銀（Ｉ）化合物の重量で５〜１５ｐｐｍを含有する組成物は、１または複数の実施形態において特に関心対象である。
【００４２】
組成物の好ましい実施形態は、タルク、グリセリンまたはトリエチルアミンから選択される、銀（Ｉ）化合物の担体を含む。
【００４３】
遊離アルカリ含有量
組成物の遊離アルカリ含有量は、０．０１％未満である。それは水酸化ナトリウム含有量として測定される。
【００４４】
遊離脂肪酸
好ましい組成物は、０．０１重量％〜１０重量％の遊離脂肪酸を含有する。適した脂肪酸は、Ｃ８−Ｃ２２脂肪酸である。好ましい脂肪酸は、Ｃ１２−Ｃ１８、好ましくは主に飽和した長鎖脂肪酸である。しかし、一部の不飽和脂肪酸を用いることもできる。遊離脂肪酸は、短い鎖長（例えば、Ｃ１０−Ｃ１４）と長い鎖長（例えば、Ｃ１６−Ｃ１８）の鎖脂肪酸の混合物であり得る。例えば、有用な一つの脂肪酸は、ヤシ油、パーム核油、およびババスオイルなどの高ラウリン酸トリグリセリドに由来する脂肪酸である。
【００４５】
１４個以下の炭素原子の鎖長を有する脂肪酸の濃度は、通常、組成物の総重量に基づいて５．０％を超えない、好ましくは約１％を超えない、最も好ましくは０．８％以下であるべきである。
【００４６】
随意成分
好ましい組成物には、１または複数の皮膚有益剤が含まれてよい。用語「皮膚有益剤」は、皮膚の水分量を増加させるか、脂質および他の皮膚栄養分を追加するか、または取り替えることによって、皮膚（角質層）を柔軟化するかまたは皮膚（角質層）の弾力性、外見および若々しさを改善する；あるいは両方の効果をもたらし、皮膚の水分量の減少を遅らせることによって皮膚を柔らかく保つ物質として定義される。適した皮膚有益剤には、皮膚軟化剤が含まれ、それには、例えば、疎水性皮膚軟化剤、親水性皮膚軟化剤、またはそれらのブレンドが含まれる。
【００４７】
有用な皮膚有益剤としては、以下のものが挙げられる：（ａ）シリコーン油およびその変性形態、例えば線状および環状ポリジメチルシロキサンなど；アミノ、アルキル、アルキルアリール、およびアリールシリコーン油；（ｂ）天然油脂、例えばホホバ油、大豆油、ヒマワリ油、米ぬか油、アボカド油、アーモンド油、オリーブ油、ゴマ油、桃仁油、ヒマシ油、ヤシ油、ミンク油など；  カカオ脂；牛脂、ラード；上述の油を水素化することによって得られる硬化油；ならびに、合成モノ−、ジ−およびトリグリセリド、例えばミリスチン酸グリセリドおよび２−エチルヘキサン酸グリセリドなど、をはじめとする油脂；（ｃ）蝋、例えばカルナウバ、鯨蝋、蜜蝋、ラノリン、およびそれらの誘導体；（ｄ）疎水性および親水性の植物抽出物；（ｅ）炭化水素、例えば流動パラフィン、ワセリン、マイクロクリスタリンワックス、セレシン、スクアレン、プリスタンおよび鉱油など；（ｆ）高級アルコール、例えばラウリル、セチル、ステアリル、オレイル、ベヘニル、コレステロールおよび２−ヘキシデカノールアルコールなど；（ｇ）エステル、例えばオクタン酸セチル、乳酸ミリスチル、乳酸セチル、ミリスチン酸イソプロピル、ミリスチン酸ミリスチル、パルミチン酸イソプロピル、アジピン酸イソプロピル、ステアリン酸ブチル、オレイン酸デシル、イソステアリン酸コレステロール、モノステアリン酸グリセロール、モノラウリン酸グリセロール、ジステアリン酸グリセロール、トリステアリン酸グリセロール、乳酸アルキル、クエン酸アルキルおよび酒石酸アルキルなど；（ｈ）精油およびその抽出物、例えばハッカ、ジャスミン、樟脳、ホワイトシダー、ビターオレンジピール、リュウ（ｒｙｕ）、テルペンチン、シナモン、ベルガモット、温州ミカン、菖蒲、パイン、ラベンダー、月桂樹、クローブ、ヒバ、ユーカリ、レモン、スターフラワー、タイム、ペパーミント、バラ、セージ、ゴマ、生姜、バジル、ジュニパー、レモングラス、ローズマリー、ローズウッド、アボカド、グレープ、グレープシード、ミルラ、キュウリ、クレソン、カレンデュラ、エルダーフラワー、ゼラニウム、リンデンブロッサム、アマランス、海藻、イチョウ、朝鮮ニンジン、ニンジン、ガラナ、ティーツリー、ホホバ、コンフリー、オートミール、ココア、ネロリ、バニラ、緑茶、ポレイハッカ、アロエベラ、メントール、シネオール、オイゲノール、シトラール、シトローネル、ボルネオール、リナロール、ゲラニオール、月見草、樟脳、チモール、スピラントール、ペネネ（ｐｅｎｅｎｅ）、リモネンおよびテルぺノイド油など；（ｉ）多価アルコール、例えば、グリセリン、ソルビトール、プロピレングリコール、および同類のものなど；ならびに、ポリオール、例えばポリエチレングリコールなど（その例は：Ｐｏｌｙｏｘ（登録商標）ＷＳＲ−２０５  ＰＥＧ  １４Ｍ、Ｐｏｌｙｏｘ（登録商標）ＷＳＲ−Ｎ−６０Ｋ  ＰＥＧ  ４５Ｍ、またはＰｏｌｙｏｘ（登録商標）ＷＳＲ−Ｎ−７５０、およびＰＥＧ  ７Ｍである）；（ｊ）脂質、例えばコレステロール、セラミド、スクロースエステルおよび擬似セラミドなど；（ｋ）ビタミン、ミネラル、および皮膚栄養剤、例えばミルク、ビタミンＡ、Ｅ、およびＫなど；ビタミンＣアルキルエステルを含むビタミンアルキルエステル；マグネシウム、カルシウム、銅、亜鉛およびその他の金属成分；（ｌ）日焼け止め、例えばメトキシケイ皮酸オクチル（Ｐａｒｓｏｌ  ＭＣＸ）およびブチルメトキシベンゾイルメタン（Ｐａｒｓｏｌ  １７８９）など；（ｍ）リン脂質；ならびに（ｎ）アンチエイジング化合物、例えばαヒドロキシ酸、β−ヒドロキシ酸など。皮膚有益剤は、一般にバーの４５重量％までを占め、１〜１５重量％、より特に１〜８重量％の濃度が、通常「皮膚軟化薬」として公知の皮膚有益剤が対象バーで用いられるレベルに典型的である。好ましい皮膚有益剤としては、炭化水素、多価アルコール、ポリオールおよびそれらの混合物が挙げられ、皮膚軟化薬には少なくとも１つのＣ１２−Ｃ１８脂肪酸、ワセリン、グリセロール、ソルビトールおよび／またはプロピレングリコールが含まれる。脂肪酸皮膚軟化薬は、存在する場合には、対象バーの脂肪酸石鹸成分と区別される。存在する場合には、遊離脂肪酸の合計量は、一般的に対象バーの５重量％を超えない。
【００４８】
存在してよいさらに随意の成分は、芳香剤；封鎖剤およびキレート剤、例えばエチレンジアミン四酢酸四ナトリウム塩（ＥＤＴＡ）、エタンヒドロキシル（ｈｙｄｒｏｘｙｌ）ジホスホネート（ＥＨＤＰ）、およびエチドロン酸、別名１−ヒドロキシエチリデンジホスホン酸（ＨＥＤＰ）；着色剤；乳白剤および真珠様光沢付与剤、例えばステアリン酸亜鉛、ステアリン酸マグネシウム、ＴｉＯ２、エチレングリコールモノステアレート（ＥＧＭＳ）、エチレングリコールジステアレート（ＥＧＤＳ）、またはＬｙｔｒｏｎ（登録商標）６２１（スチレン／アクリレート共重合体）および同類のもの；ｐＨ調整剤；酸化防止剤、例えば、ブチル化ヒドロキシトルエン（ＢＨＴ）および同類のもの；防腐剤；安定剤；抗菌剤／防腐剤、例えば、２−ヒドロキシ−４，２’，４’トリクロロジフェニルエーテル（Ｔｒｉｃｌｏｓａｎ）、ジメチロールジメチルヒダントイン（Ｇｌｙｄａｎｔ（登録商標）ＸＬ１０００）、パラベン、ソルビン酸、チモール、および少し例を挙げればテルピネオールなど（例えば、１またはそれ以上の実施形態において特に関心対象である米国特許出願公開第２０１１／０２２３１１４号に記載されるようなチモールとテルピネオールの組合せで）；起泡促進剤、例えば、ココナツアシルモノ−またはジエタノールアミドなど；イオン化性塩、例えば、塩化ナトリウムおよび硫酸ナトリウムなど、ならびに、石鹸バー中で慣習的に使用されるその他の成分である。そのような追加の随意成分の合計量は、一般にバーの総重量に基づいて０〜１５重量％、より特に０．０１〜１０重量％である。
【００４９】
好ましい実施形態は、トリデセス硫酸ナトリウムを含んでもよい。
【００５０】
洗浄剤組成物の形態
組成物は固体または液体またはゲルであってよい。液体洗浄剤組成物の例は、シャンプー、ボディウォッシュ組成物、シャワージェル、顔用および手洗い用洗浄剤である。固体組成物の例としては、石鹸または石鹸−界面活性剤混合物を含有する周知の形態のバーまたはタブレットが挙げられる。組成物は石鹸のバーの形態であるのが特に好ましい。
【００５１】
石鹸のタブレットの製造
石鹸バー／タブレットは、文献に記載され、当技術分野で公知の製造技術を用いて調製することができる。利用可能な製造プロセスの種類の例は、書籍Ｓｏａｐ  Ｔｅｃｈｎｏｌｏｇｙ  ｆｏｒ  ｔｈｅ  １９９０’ｓ（Ｌｕｉｓ  Ｓｐｉｔｚ編、イリノイ州シャンペーン、アメリカ油化学会（Ａｍｅｒｉｃａｎ  Ｏｉｌ  Ｃｈｅｍｉｓｔ  Ｓｏｃｉｅｔｙ）、１９９０年）に記載されている。これらは、大きく：溶融形成、押出／打抜き、および押出、焼戻し、および切断を含む。高品質のバーを経済的に製造するその能力のために、好ましいプロセスは押出および打抜きである。
【００５２】
石鹸バーは、例えば、石鹸から出発するか、またはその場で石鹸を形成することによって調製されてよい。出発成分として石鹸の前駆体である１または複数の脂肪酸を用いる場合、そのような１または複数の酸は、それを十分に溶融する温度、一般的に少なくとも８０℃、より特に８０℃から１００℃未満に加熱し、適した中和剤または塩基、例えば、水酸化ナトリウムを用いて、一般に苛性アルカリ溶液として添加して中和する。中和剤は、好ましくは、石鹸形成脂肪酸を完全に中和するのに十分な量で溶融液に添加され、少なくとも１つの実施形態では、好ましくはそのような脂肪酸を実質的に完全に中和するために必要な量よりも多い量が添加される。
【００５３】
中和の後、過剰な水を蒸発させてよく、銀（Ｉ）化合物を含む追加の組成物成分を添加してよい。必要ではないが、担体、好ましくはタルク、グリセリンまたはトリエチルアミンを使用して銀（Ｉ）化合物を添加することが好ましい。望ましくは、含水量は、その総重量に基づいて、得られるバーが２５重量％以下、好ましくは２０重量％以下、より好ましくは１８重量％以下の水を含み、水含有量が多くのバーに典型的な８〜１５重量％であるような濃度まで低下させる。処理の過程で、中和処理の一部として、かつ／またはその後に、対象バーに望ましい少なくとも９の高いｐＨを得るように、ｐＨを必要に応じて調節してよい。
【００５４】
結果として得られる混合物は、溶融状態の混合物を型に注入することによってバーに形成されてもよいし、あるいは、当技術分野で周知であり一般に使用されているように、アマルガム化、微粉砕、押出および／または打抜き手順によってバーに形成されてもよい。典型的なプロセスでは、混合物はマルチスクリュー集成部品から押出され、それから出た濃厚な液体は、一般的に８０，０００〜１２０，０００ｃＰｓの範囲の粘度を有し、回転する冷却されたロールの上に落ちるようになっている。粘稠な物質が冷却されたロールの上に落ちると、石鹸のフレークが形成される。これらのフレークは次にさらなる加工のためのヌードラープレート（ｎｏｏｄｌｅｒ  ｐｌａｔｅ）に運ばれる。名前が示唆するように、このプレートから出てくる物質はヌードルの形態をしている。これらのヌードルは微粉砕され、押出されて、石鹸バーの特徴的な形状を与えられる。
【００５５】
バーは、溶融注型法およびその変形形態によっても作製されてよい。そのような方法では、エタノール−水混合物中で鹸化が実行される（または鹸化した脂肪酸を沸騰エタノールに溶解する）。鹸化に続いてその他の成分を添加してよく、混合物は好ましくは濾過され、型に注入され、冷却される。次に、注型組成物は、アルコールおよび水が蒸発によって時間とともに減少する成熟工程を経る。成熟は、注型組成物の、または小型のビレット、バーまたはバーから切り出した他の形状の成熟であってよい。米国特許第４９８８４５３号および米国特許第６７３０６４３号に記載されるそのような方法の変形形態では、鹸化は多価アルコールおよび水の存在下、揮発油を使用して、低減または除去される鹸化混合物中で実行される。溶融注型は、一般的に微粉砕またはその他の機械的技術によって製造される不透明なバーとは対照的に、半透明または透明なバーの製造を可能にする。
【００５６】
１または複数の実施形態において、対象バーの針入度は、０．１ｍｍ〜４ｍｍ、好ましくは１ｍｍ〜３ｍｍである。針入度は、秤量した、取り外し可能なコーン（１５０ｇ±０．１ｇ）を備えた針入度計を用いて求められ、コーンはさらにコーン角：３２．２°、高さ１６ｍｍ、および底幅９．３ｍｍを特徴とする；そのような計測器はＡｄａｉｒ  Ｄｕｔｔ  ａｎｄ  Ｃｏｍｐａｎｙより入手可能である。測定するサンプルを２５℃に平衡させ、コーンの下にコーンの先端がサンプル表面にちょうど触れるように置く；その後、コーンを開放して自由落下させ、５秒間にサンプルの中に針入するその距離を０．１ｍｍ単位で測定する。この試験は３回繰り返され、少なくとも５ｍｍの隔たりがサンプルの各測定位置間に見込まれる。３回の反復試験の平均が針入度である。この値が高いほどバーが軟らかいことを示す。
【００５７】
本明細書に開示される洗浄剤組成物は、特に黄色ブドウ球菌（Ｓ．ａｕｒｅｕｓ）を含むグラム陽性菌に対する抗菌（殺生物）活性を有する。組成物の関心対象となるその他のグラム陽性菌は、表皮ブドウ球菌（Ｓ．ｅｐｉｄｅｒｍｉｄｉｓ）、および／またはコリネバクテリウム（Ｃｏｒｙｎｅｂａｃｔｅｒｉａ）、特に、悪臭化合物となる腋窩分泌物の加水分解の原因であるコリネバクテリウム菌株である。望ましくは、バーは、３０秒の接触時間で少なくとも２、好ましくは少なくとも３、より好ましくは少なくとも３．５の黄色ブドウ球菌（Ｓｔａｐｈｙｌｏｃｏｃｃｕｓ  ａｕｒｅｕｓ）ＡＴＣＣ６５３８に対する殺菌活性のｌｏｇ１０減少をもたらし、さらにより好ましくは、１０秒の接触時間で少なくとも１、好ましくは少なくとも１．５、より好ましくは少なくとも２の黄色ブドウ球菌ＡＴＣＣ６５３８に対するｌｏｇ１０減少をもたらす。
【００５８】
バーの形態で使用する場合には、一般的にその水中１〜２５重量％溶液を形成するためにバーを水で希釈して、得られる石鹸溶液を１分未満、一般的に３０秒以下の接触時間の間、皮膚に適用し（中程度〜比較的長い持続時間の接触時間に関して１０〜３０秒の接触時間が関心対象であり、短い〜中程度の持続時間の接触時間に関して１０秒以下の接触時間が関心対象である）、その後、一般的に水ですすぐことによって皮膚から除去する。好ましくは、バーは、インド規格１３４９８：１９９７付録Ｃの手順に従う泡容積が少なくとも２００ｍｌである。
【００５９】
変色
変色には標準的な定義も統一された尺度もない、そのため、その場限りの社内の方法で測定される場合が多い。通常、組成物のいくつかのサンプルを無作為に選びだし、異なる温度という物理的条件下で貯蔵する。
【００６０】
典型的なプロトコールに従って、バーの場合には、いくつかのサンプルを２７℃で貯蔵すると同時に、他のサンプルを５０℃で貯蔵する。サンプルは、訓練された分析者によって色および一般的な外見の変化について断続的に観察される。通常、試験は合計１２週間続く。その後、外見に基づく尺度でサンプルに評点をつけ、サンプルを評価する。
【００６１】
［実施例］
以下の限定されない例は、本発明をさらに説明するために提供される；本発明は、決してそれに制限されない。
【００６２】
［実施例−１］遊離アルカリの効果
石鹸組成物（白色）をこの実験のために作製した。実験に用いた基本配合を表２（バー）および３（液体）に示す。
【表２】
2017505839.tif 000003
【表３】
2017505839.tif 000004
【００６３】
使用した組成物、すなわち銀（Ｉ）化合物のより細かい詳細、その重量％および遊離アルカリ含有量を表４に示す。
【表４】
2017505839.tif 000005
【００６４】
表３の固体石鹸バーのｐＨを測定するため、２．０００グラムのすりつぶした石鹸サンプルを、２５０ｍｌガラスビーカー中１９８グラムの蒸留水に周囲温度（２５℃）で添加した。その後、磁性棒／ガラスロッドで１０分間撹拌することにより混合物を約５５℃に加熱した。その後、石鹸溶液を穏やかに撹拌しながら２５℃に冷却し、較正したｐＨ計でｐＨを測定した。
【００６５】
いくつかのバーのサンプルは、５０℃で１２週間貯蔵した。その色を、その期間を通して一定間隔で詳細に観察した。バーは、許容されるレベルを超えて変色した場合に試験に不合格であると言われた。
【００６６】
表４のデータは、各々の比較例組成物が試験に不合格であった一方、各々の実施例（好ましい）石鹸組成物は最初の色をかなりの程度保持したことを示す。
【００６７】
表４のデータによって、０．０１％よりも多い遊離アルカリ含有量を含有する組成物は試験に不合格であった一方で、０．０１％未満の遊離アルカリ含有量（と遊離脂肪酸）を含有する組成物は安定であったことも推論できる。この違いは、銀（Ｉ）化合物の担体の存在にもかかわらず見出された。
【００６８】
例示された実施例は、好ましい組成物がより頑丈であり、改良されたことを示す。
【国際調査報告】
2017505839.tif 000006
2017505839.tif 000007